(57)【要約】 【課題】  ＩＰ電話を利用して画像データを送受信することにより、動画や高精細な静止画など比較的容量の大きな画像データを安価なランニングコストで送受信することが可能な電話機を提供する。【解決手段】  電話機は、ＩＰ網を経由したいわゆるＩＰ電話による通話が可能である。電話機は、まず、ＩＰ網を介して送信先ＩＰ電話番号へ発信することで送信先と接続し、画像データを送信する。また、電話機は、ＩＰ網を経由して外部の送信元から着信を受けると当該送信元と接続し、画像データを受信する。このように、電話機は、ＩＰ網を利用したＩＰ電話により送信先又は送信元とピア・ツゥ・ピアの接続を確立することで、大容量の画像データを相互に短時間で送受信することができる。よって、長時間の動画等を高品質且つ安価なランニングコストで送受信することができる。【選択図】      図５
2005333515.tif 000002
【特許請求の範囲】
【請求項１】
ＩＰ網を介して送信先ＩＰ電話番号へ発信する発信部と、
前記送信先と接続する送信先接続手段と、
画像データを前記送信先へ送信する送信部と、
前記ＩＰ網を経由して外部の送信元から着信する着信部と、
前記送信元と接続する送信元接続手段と、
画像データを前記送信元から受信する受信部と、を備えることを特徴とする電話機。
【請求項２】
前記送信部は、
送信予定の画像データに関する情報を含む送信要求データを前記送信先へ送信する送信要求データ送信手段と、
前記送信先から、前記画像データを受信することを示す肯定応答を受信したか否かを判定する応答判定手段と、をさらに備え、
前記判定手段が前記肯定応答を受信したと判定した場合に、前記画像データを前記送信先へ送信し、
前記受信部は、
前記送信元から、前記送信要求データを受信する送信要求データ受信手段と、
前記送信要求データに含まれる情報に基づいて、前記画像データを受信するか否かを判定する受信判定手段と、
前記受信判定手段が前記画像データを受信すると判定した場合に肯定応答を前記送信元へ送信し、前記受信判定手段が前記画像データを受信しないと判定した場合に否定応答を前記送信元へ送信する応答送信手段と、をさらに備え、
前記肯定応答を送信した場合に、前記画像データを前記送信元から受信することを特徴する請求項１に記載の電話機。
【請求項３】
前記電話機は、外部機器に接続可能であって、
前記外部機器から前記画像データを取得する取得部を備え、
前記送信部は、前記取得部が取得した画像データを前記送信先へ送信することを特徴とする請求項１又は２に記載の電話機。
【請求項４】
前記受信部が前記送信元から受信する画像データを記憶する記憶部をさらに備えることを特徴とする請求項１乃至３のいずれか一項に記載の電話機。
【請求項５】
前記電話機は、外部メモリに接続可能であって、
前記受信部が前記送信元から受信する画像データを前記外部メモリに記憶する記憶手段をさらに備えることを特徴とする請求項１乃至４のいずれか一項に記載の電話機。
【発明の詳細な説明】
【技術分野】
【０００１】
本発明は、ＩＰ（Internet Protocol）電話に使用可能な電話機における動画送信機能に関する。
【背景技術】
【０００２】
現在、特定のユーザが保有する動画を離れた場所にいる他のユーザが閲覧するためには、以下の３つの方法が考えられる。第１に、特定のユーザが家庭用デジタルビデオカメラ等で撮影したサイズの大きい動画を、ＤＶＤ−ＲＷなどの記録媒体にダビングして郵送する方法が挙げられる。第２に、特定のユーザが携帯電話等で撮影したサイズの小さい動画を、メールに添付して送信する方法が挙げられる。そして、第３に、特定のユーザが撮影した動画をパーソナルコンピュータ（以下、「パソコン」と呼ぶ。）上で編集し、メールに添付して送信する又はホームページ上で公開する方法が挙げられる。
【０００３】
しかし、第１の方法は、他のユーザが遠隔地にいる場合、郵送時間に時間がかかるという問題がある。第２の方法は、撮影した動画が、携帯電話のキャリアに依存性がある、再生時間が短い、保存して任意のタイミングで閲覧することが難しい等の問題がある。そして、第３の方法は、メールに添付可能なサイズやホームページ上に記録可能なサイズには制約があるため、動画の再生時間が短く、表示品質が悪い等の問題がある。
【０００４】
なお、ＩＰ電話に関連する文献として、特許文献１及び２などがある。
【０００５】
【特許文献１】特開２００３−１３４１７２号公報
【特許文献２】特開２００３−１８８９９２号公報
【発明の開示】
【発明が解決しようとする課題】
【０００６】
本発明が解決しようとする課題には上記のようなものが例として挙げられる。本発明は、ＩＰ電話を利用して画像データを送受信することにより、動画や高精細な静止画など比較的容量の大きな画像データを安価なランニングコストで送受信することが可能な電話機を提供することを課題とする。
【課題を解決するための手段】
【０００７】
請求項１に記載の発明は、電話機であって、ＩＰ網を介して送信先ＩＰ電話番号へ発信する発信部と、前記送信先と接続する送信先接続手段と、画像データを前記送信先へ送信する送信部と、前記ＩＰ網を経由して外部の送信元から着信する着信部と、前記送信元と接続する送信元接続手段と、画像データを前記送信元から受信する受信部と、を備えることを特徴とする。
【発明を実施するための最良の形態】
【０００８】
本発明の好適な実施例では、電話機は、ＩＰ網を介して送信先ＩＰ電話番号へ発信する発信部と、前記送信先と接続する送信先接続手段と、画像データを前記送信先へ送信する送信部と、前記ＩＰ網を経由して外部の送信元から着信する着信部と、前記送信元と接続する送信元接続手段と、画像データを前記送信元から受信する受信部と、を備える。
【０００９】
上記の電話機は、ＩＰ網（インターネット）を経由したいわゆるＩＰ電話による通話が可能である。電話機は、まず、ＩＰ網を介して送信先ＩＰ電話番号へ発信することで送信先と接続し、画像データを送信する。また、電話機は、ＩＰ網を経由して外部の送信元から着信を受けると当該送信元と接続し、画像データを受信する。ここで、画像データとは、音声を伴う動画や高精彩な静止画等のデータである。このように、電話機は、ＩＰ網を利用したＩＰ電話により送信先又は送信元とピア・ツゥ・ピア（Peer to Peer)の接続を確立することで、大容量の画像データを相互に短時間で送受信することができる。よって、長時間の動画等を高品質且つ安価なランニングコストで送受信することを実現することができる。
【００１０】
上記の電話機の一態様では、前記送信部は、送信予定の画像データに関する情報を含む送信要求データを前記送信先へ送信する送信要求データ送信手段と、前記送信先から、前記画像データを受信することを示す肯定応答を受信したか否かを判定する応答判定手段と、をさらに備え、前記判定手段が前記肯定応答を受信したと判定した場合に、前記画像データを前記送信先へ送信し、前記受信部は、前記送信元から、前記送信要求データを受信する送信要求データ受信手段と、前記送信要求データに含まれる情報に基づいて、前記画像データを受信するか否かを判定する受信判定手段と、前記受信判定手段が前記画像データを受信すると判定した場合に肯定応答を前記送信元へ送信し、前記受信判定手段が前記画像データを受信しないと判定した場合に否定応答を前記送信元へ送信する応答送信手段と、をさらに備え、前記肯定応答を送信した場合に、前記画像データを前記送信元から受信する。
【００１１】
上記の電話機は、画像データを送信先へ送信する場合、予め送信要求データを送信する。送信先は、送信要求データに基づいて、送信予定の画像データを受信するか否かを判定し、受信する場合は肯定応答を、受信しない場合は否定応答を電話機へ送信する。受信しない場合とは、例えば、送信予定の画像データの容量が非常に大きく対応できない場合や、送信予定の画像データが興味のない広告である場合等である。そのため、電話機は、送信先から肯定応答を受信した場合にのみ、画像データを送信する。同様に、電話機は、画像データを送信元から受信する場合、送信元から予め送信要求データを受信し、肯定応答又は否定応答を送信元へ送信する。このような送信要求データにより、送信側は、画像データを送信する前に受信側のユーザの意思や受信側の通信環境を確認することができるため、確実に画像データを送信することができる。また、受信側は、対応できない画像データの受信によるトラブルや迷惑な画像データの受信を回避することができる。
【００１２】
上記の電話機の他の一態様では、電話機は、外部機器に接続可能であって、前記外部機器から前記画像データを取得する取得部を備え、前記送信部は、前記取得部が取得した画像データを前記送信先へ送信することを特徴とする。ここで、外部機器とは、具体的にテレビやビデオカメラ等である。これによれば、例えばビデオカメラにより撮影した画像データを、当該ビデオカメラを直接電話機に接続することで容易に送信することができる。よって、ビデオカメラの操作に不慣れなユーザであっても大容量の画像データの送信を容易に行うことができる。
【００１３】
上記の電話機の他の一態様では、前記受信部が前記送信元から受信する画像データを記憶する記憶部をさらに備える。これによれば、送信元から受信した画像データを記憶部に保存しておくことができるため、ユーザは、任意のタイミングで閲覧することができる。
【００１４】
上記の電話機のさらに他の一態様では、前記電話機は、外部メモリに接続可能であって、前記受信部が前記送信元から受信する画像データを前記外部メモリに記憶する記憶手段をさらに備える。ここで、外部メモリとは、具体的に大容量メモリを備えるＨＤＤレコーダやＤＶＤレコーダ等である。つまり、電話機の記憶部の容量が少ない場合であっても、送信元から受信した画像データをＨＤＤレコーダやＤＶＤレコーダに記憶することができる。また、送信元から受信した画像データを、容易にＤＶＤをはじめとする記録媒体に保存することができる。
【実施例】
【００１５】
以下、本発明の好適な実施例を図面に基づいて説明する。なお、以下の実施例は、本発明をコードレス電話機に適用した例を示すが、これは本発明の適用をコードレス電話機に限定することを意図するものではない。
【００１６】
［基本構成］
図１に、本発明の実施例に係るコードレス電話機の全体構成を示す。図示のように、コードレス電話機１００は、１つの親機１１０ａと、１つ又は複数の子機１１０ｂとを備える。親機１１０ａは外部の電話回線網１０３と接続されている。なお、親機１１０ａはＡＤＳＬモデムなどを介してＩＰ網（インターネット）にも接続されるが、これについては後述する。
【００１７】
また、親機１１０ａは、子機１１０ｂと無線通信を行うことにより、必要な電話帳データや各種の設定データなどを授受する。さらに、親機１１０ａと子機１１０ｂとの通信により、ユーザは子機１１０ｂを利用して外部と通話することができる。
【００１８】
まず、親機１１０ａの構成について説明する。図２は、コードレス電話機１００の親機１１０ａの概略構成を示すブロック図である。
【００１９】
図２において、親機１１０ａは、検波回路１と、回線制御回路２と、通話回路３と、ＤＳＰ（Digital Signal Processor）４と、無線送受信回路５と、アンテナ６と、ＣＰＵ７と、キースイッチ８と、ＣＰＵ７に接続されたドライバ９と、ドライバ９によって駆動される液晶パネルや有機ＥＬなどのディスプレイ１０とを備えている。
【００２０】
検波回路１は、外線接続端子Ｌ１、Ｌ２に入力される外線着信信号および受信信号を検波する。回線制御回路２は電話機と外線との回線接続を制御し、通話回路３は回線制御回路２を介して入力されてくる受信信号の後述する他の回路への送出や外線への送話信号の送出を行う。ＤＳＰ４は、通話回路３を介して入力されてくる受信信号や外線に送出する送話信号の音声処理を行うとともに、ＣＰＵ７に対してモデムとして機能する。無線送受信回路５は、子機との間でＭＣＡ（マルチ・チャンネル・アクセス）方式による無線通話回路を形成する。アンテナ６は、子機との間で無線の送受信を行うために使用される。
【００２１】
ＣＰＵ７は、回線制御回路２、通話回路３、ＤＳＰ４、及び無線送受信回路５に接続され、各回路の作動制御を行う。また、ＣＰＵ７にはメモリなどにより構成される記憶部１１５ａが接続されており、このメモリ１１５ａは電話帳データなどを記憶する。
【００２２】
また、親機１１０ａは、外線接続端子Ｌ１、Ｌ２から入力されてくる外線着信信号を検出するリング回路１１、リング回路１１による外線着信信号の検出によって呼出音を鳴らすモニタスピーカ１２、オンフックモード時にハンズフリーによる通話を行うためのマイク１３、及び、子機を置いたままで通話するためのオンフックモードへの切り換えを行うオンフックスイッチ１４をさらに備える。
【００２３】
次に、子機１１０ｂの構成について説明する。図３は、コードレス電話機１００の子機１１０ｂの概略構成を示すブロック図である。
【００２４】
図３において、子機１１０ｂは、アンテナ２１と、無線送受信回路２２と、ＤＳＰ２３と、ＣＰＵ２４と、ＣＰＵ２４に接続されて電話番号等のデータ入力や電話機操作を行うキースイッチ２５と、ＣＰＵ２４に接続されたドライバ２６と、ドライバ２６によって駆動される液晶パネルや有機ＥＬなどのディスプレイパネル２７とを備えている。また、子機１１０ｂはさらに、マイク２８、レシーバ２９を備える。
【００２５】
アンテナ２１は、親機１１０ａとの間で無線の送受信を行うために使用される。無線送受信回路２２は、アンテナ２１を介して親機１１０ａとの間でＭＣＡ方式による無線通話回路を形成する。ＤＳＰ２３は、無線送受信回路２２を介して入力されてくる受信信号や外線に送出する送話信号の音声処理を行うとともに、ＣＰＵ２４に対してモデムとして機能する。ＣＰＵ２４は、ＤＳＰ２３および無線送受信回路２２に接続され、各回路の作動制御を行う。ＣＰＵ２４には、記憶部としての１１５ｂが接続されており、メモリ１１５ｂは電話帳データなどを記憶する。
【００２６】
次に、ＩＰ電話と加入電話の通話経路について図４を参照して説明する。図４は、ＩＰ電話に対応したコードレス電話機１００が通話を行う場合の経路を示す。具体的には、図示のように、本発明によるコードレス電話機１００から、ＩＰ電話に対応した電話機（以下、「ＩＰ電話」と呼ぶ。）２１１、一般加入電話２１２、「１１０」、「１１９」などの特殊番号２１３、及び、携帯電話の「０９０」、フリーダイヤルの「０１２０」など現状ではＩＰ電話による通話が制限されている所定の番号（以下、「除外番号」と呼ぶ）２１４にそれぞれ発信する際の通話の経路を説明する。なお、コードレス電話１００はＩＰ電話サービスを提供する特定のＡＤＳＬ通信事業者（以下、単に「通信事業者」、「キャリア」とも呼ぶ。）ＡのＩＰ電話サービスに加入しているものとする。また、通話の相手であるＩＰ電話２１１も同一の通信事業者ＡのＩＰ電話サービスに加入しているものとする。
【００２７】
まず、通話の相手が同一の通信事業者ＡのＩＰ電話２１１である場合には、基本的に通話は全てＩＰ網１０５を経由する（ルートＲ１）。この場合は、一般の電話回線網１０３を経由しないので加入電話の通話料金は発生しない。ＩＰ網１０５のみの通信であるので、通信事業者Ａは通話料金を非常に安価にすることができる。現実には、ルートＲ１のように同一通信事業者のＩＰ電話同士の通話の場合、通話料金を無料に設定している通信事業者が多い。
【００２８】
相手が一般加入電話２１２である場合、通話はＩＰ網１０５及び電話回線網１０３の一部を使用して行われる（ルートＲ２）。具体的には、通話経路はコードレス電話機１００からＩＰ網１０５を介して一般加入電話２１２の地域に近い通信事業者Ａの端末へ到達し、そこから電話回線網１０３により電話局などを経由して一般加入電話２１２へと接続される。よって、電話回線網１０３のみを経由して一般加入電話２１２へ接続する場合と比較すると、ＩＰ網１０５を経由している分、電話回線網１０３を通過する区間が短くなるので、その分通話料金が安くなる。
【００２９】
一方、「１１０」、「１１９」などの特殊番号２１３への発信はＩＰ電話を利用することができないので、コードレス電話１００から電話回線網１０３を経由して特殊番号２１３へ接続される（ルートＲ３）。
【００３０】
また、携帯電話（「080」/「090」発信）、ＰＨＳ（「070」発信）、フリーダイヤル（「0120」発信）などの所定の除外番号２１４についても、現状ではＩＰ電話が利用できないので、電話回線網１０３のみを使用して通話が行われる（ルートＲ４）。
【００３１】
従って、ＩＰ網１０５を経由するルートＲ１及びＲ２の場合がＩＰ電話通話であり、通常の電話回線網１０３を経由する場合と比べて通話料金が安くなる。一方、ルートＲ３及びＲ４の場合は、ＩＰ網１０５を経由しない加入電話通話であるので、通話料金は安くならない。なお、本発明による動画送信機能は、ＩＰ電話を利用して動画をはじめとする大容量の画像データを送受信するものであるので、上記のルートＲ１のみを対象とするものである。
【００３２】
図５は、本実施例の動画送信機能に関連する部分の概略構成を示す機能ブロック図である。図示のように、コードレス電話機１００は、親機１１０ａと子機１１０ｂがそれぞれのアンテナ部６、２１を介して通信可能とされている。
【００３３】
親機１１０ａは、主制御部１１１ａと、表示部１１２ａと、操作部１１３ａと、無線部１１４ａと、記憶部１１５ａとを備えて構成される。主制御部１１１ａは、親機１１０ａを利用した通話処理に加えて、親機１１０ａから子機１１０ｂへ、または逆に子機１１０ｂから親機１１０ａへのデータの送受信処理全体にわたる必要な制御を行う。
【００３４】
表示部１１２ａは例えば液晶パネルなどにより構成され、電話番号など、電話に関する必要な情報の表示に使用される。操作部１１３ａは、ユーザが操作する操作ボタンなどにより構成される。無線部１１４ａは子機との間で必要なデータを無線通信する。
【００３５】
記憶部１１５ａは、ユーザが親機１１０ａまたは子機１１０ｂに登録した登録データを電話帳データとして記録する。また、記憶部１１５ａは送信履歴、着信履歴などのデータを記憶しておくことができる。
【００３６】
さらに、本実施例では、記憶部１１５ａは、動画送信機能において後述する外部Ｉ／Ｏ部１２１から取得し、コーデック部１１９においてコーデック変換した動画データを一時的に記憶する。つまり、動画送信機能において、記憶部１１５ａは、動画データを一時的に記憶するバッファとして使用される。このように、本実施例では、記憶部１１５ａをバッファとしても使用しているが、本発明はこれに限定されるものではなく、電話帳データ等を記憶する部分と区別する意味で、記憶部１１５ａとは別にバッファを設置することとしてもよい。
【００３７】
また、本実施例のコードレス電話機１００は、動画データを送信する送信先電話機とＩＰ網１０５を通じて接続するため、送信先電話番号はＩＰ電話が可能な電話番号、即ち、特定の通信事業者（キャリア）によるＩＰ電話サービスの対象となるＩＰ電話番号である必要がある。（以下、送信先電話番号を「送信先ＩＰ電話番号」と呼ぶ。）
さらに、親機１１０ａは、加入電話制御部１１６と、ＩＰ電話制御部１１７と、ネットワーク接続部１１８と、コーデック部１１９と、パケット変換部１２０と、外部Ｉ／Ｏ部１２１とを備える。加入電話制御部１１６は、外部の電話回線網１０３との間の通信に関する制御を行うものであり、これによりユーザは加入電話による通話を行うことができる。一方、ＩＰ電話制御部１１７はネットワーク接続部１１８を介して接続している外部のＩＰ網１０５との間の通信に関する制御を行うものであり、これによりユーザはＩＰ電話による通話や動画の送受信を行うことができる。具体的に、ＩＰ電話制御部１１７により、ＩＰ網１０５を通じてコードレス電話機１００と送信先電話機とがピア・ツゥ・ピアに接続することが可能となる。
【００３８】
コーデック部１１９は、後述する外部Ｉ／Ｏ部１２１が取得した動画をコーデック変換し、送信先電話機に送信するデジタル動画データを作成する。具体的に、コーデック変換とは、動画をＭＰＥＧにより圧縮する等、ＩＰ網１０５を通じて動画を送信するために必要な処理を行うことである。また、コーデック部１１９は、他の電話機からＩＰ網１０５を経由して取得したデジタル動画データを、テレビ１３０において表示するために必要な復元等の処理も行う。
【００３９】
パケット変換部１２０は、通話のための音声やコーデック部１１９が作成したデジタル動画データをパケット変換する。ここで、図６（ａ）及び（ｂ）を参照し、パケット変換について詳しく説明する。図６（ａ）及び（ｂ）は、パケットの構成を模式的に示す図である。パケット変換とは、音声や動画をＩＰ網１０５に乗せるための一定の形式に変換する処理のことである。具体的に、音声を送受信するためのパケットは、図６（ａ）に示すようにデジタル音声データ及びＩＰヘッダから構成されている。デジタル音声データは、アナログ信号である音声を所定の方式で符号化したデジタルデータである。また、ＩＰヘッダには、送信先電話機にパケットを届けるため、発信元アドレス及び着信元アドレスの情報が含まれている。発信元アドレスとは発信元ＩＰ電話機を識別するＩＰアドレスであり、着信元アドレスとは着信元ＩＰ電話機を識別するＩＰアドレスである。ここで、ＩＰアドレスとはＩＰ電話番号に対応付けられた識別情報であって、ＩＰ電話番号からＤＮＳ（Domain Name System）を検索することで特定することができる。動画を送受信するためのパケットは、図６（ｂ）に示すようにデジタル音声データの代わりのデジタル動画データ及びＩＰヘッダから構成されている。デジタル動画データは、デジタルデータであるため、送信予定の動画がアナログ信号である場合には、所定の方式で符号化したデジタルデータに変換される。
【００４０】
外部Ｉ／Ｏ部１２１は、テレビ１３０やビデオカメラ１３１といった外部機器と接続されており、当該外部機器が保有する動画を取得する。ここで、取得された動画をコーデック部１１９がコーデック変換することによりデジタル動画データが作成される。そして、作成されたデジタル動画データは、パケット変換部１２０において図６（ｂ）に示すようなパケットとなり、ＩＰ電話制御部１１７によりＩＰ網１０５を介して送信先電話機へ送信される。なお、説明の便宜上、「デジタル動画データ」を単に「動画データ」と記すことがある。
【００４１】
なお、親機１１０ａは、通常の加入電話の低域アナログ信号と、ＡＤＳＬによる高域アナログ信号とを分離するフィルタであるスプリッタを介してＮＴＴ交換局、即ち電話回線網１０３及びＩＰ網１０５と接続している。さらに、親機１１０ａは、ＡＤＳＬ通信を行うためのデータ変調／復調装置であって、デジタルデータを変調してアナログ信号に変換したり、その逆を行ったりするＡＤＳＬモデムを介してＩＰ網１０５と接続している。但し、本発明による動画送信機能は、ＩＰ網１０５を通じたデータの送受信を対象としている。
【００４２】
一方、子機１１０ｂは、主制御部１１１ｂと、表示部１１２ｂと、操作部１１３ｂと、無線部１１４ｂと、を備え、各部の働きは親機１１０ａのものと同様である。
【００４３】
なお、以下の説明において、親機又は子機の構成要素であって、いずれかを区別する必要が無い場合には、添え字を省略して表記する。例えば、「主制御部１１１ａ」と言った場合は親機の主制御部を指し、単に「主制御部１１１」と言った場合は親機又は子機のいずれかの主制御部を指すものとする。また、説明の便宜上、「コードレス電話機１００」を単に「電話機１００」と記すことがある。
【００４４】
次に、本実施例における動画送信機能による送信処理及び受信処理について説明する。図８は送信処理のフローチャートであり、図９は受信処理のフローチャートである。なお、送信処理及び受信処理は、図５に示す親機１１０ａの主制御部１１１ａが所定のプログラムを実行して記憶部１１５ａ、ＩＰ電話制御部１１７、ネットワーク接続部１１８、コーデック部１１９、パケット変換部１２０及び外部Ｉ／Ｏ部１２１を制御することにより実現される。
【００４５】
まず、図８を参照し、送信処理について説明する。送信処理は、電話機１００が任意の送信先電話機に対して動画を送信する処理である。図８に示すフローチャートによると、ユーザが操作部１１３ａ等を操作し、送信したいデータを指定するなどして動画の送信指示を行うと、主制御部１１１ａは、送信先電話機に送信する動画が外部データであるか否かを判定する（ステップＳ１）。ここで、外部データとは、外部Ｉ／Ｏ部１２１によりテレビ１３０やビデオカメラ１３１といった外部機器から取得する動画であり、コーデック変換されていないものである。一方、外部データでない、いわゆる内部データとは、既にコーデック変換され、動画データとして記憶部１１５ａのバッファに記憶されているものである。送信先電話機に送信する動画が外部データである場合（ステップＳ１；Ｙｅｓ）、動画をコーデック変換することにより動画データを作成し、記憶部１１５ａのバッファに記憶する（ステップＳ２）。一方、送信先電話機に送信する動画が内部データである場合（ステップＳ１；Ｎｏ）、既に動画データとして記憶部１１５ａのバッファに記憶されているためステップＳ３に進む。
【００４６】
次に、主制御部１１１ａは、送信先ＩＰ電話番号を発呼することにより、ＩＰ網１０５を使用するＩＰ電話にて、電話機１００と送信先電話機をピア・ツゥ・ピアに接続する（ステップＳ３）。そして、主制御部１１１ａは、送信先電話機に送信要求データを送信する（ステップＳ４）。図７は、送信要求データを含むパケットのデータ構成を模式的に示す図である。パケットは、図７に示すように、発信元アドレス及び着信元アドレスを含むＩＰヘッダと、これから送信する予定の動画データのフォーマット、サイズ、ヘッダに関する情報を含む送信要求データとから構成されている。ここで、送信予定の動画データのヘッダ情報とは、例えば当該動画データのタイトルなどである。このように、送信要求データは、ＩＰヘッダが付加されたパケットとして送受信される。なお、発信元アドレスとは発信元ＩＰ電話機を識別するＩＰアドレスであり、着信元アドレスとは着信元ＩＰ電話機を識別するＩＰアドレスである。このような送信予定の動画データに関する情報を送信要求データとして送信することで、送信先電話機が動画データを受信する準備が整っているか否かを確認することができる。そのため、主制御部１１１ａは、送信先電話機から肯定応答を受信したか否かを判定する（ステップＳ５）。ここで、肯定応答とは、動画データを受信する準備が整っていることを通知する応答である。一方、否定応答とは、動画データを受信する準備が整っていない、又は、動画データの受信を拒否することを通知する応答である。
【００４７】
送信先電話機から肯定応答を受信できない、即ち否定応答を受信した場合（ステップＳ５；Ｎｏ）、主制御部１１１ａは、送信先電話機との接続を終了することで（ステップＳ９）、送信処理を終了する。一方、送信先電話機から肯定応答を受信した場合（ステップＳ５；Ｙｅｓ）、記憶部１１５ａのバッファに記憶された動画データをパケット変換し、送信先電話機へ送信する（ステップＳ６）。そして、主制御部１１１ａは、送信予定の全動画データの送信を完了したか否か判定する（ステップＳ７）。送信完了していない場合（ステップＳ７；Ｎｏ）、主制御部１１１ａは、ステップＳ６及びＳ７の処理を繰り返し行う。一方、送信完了した場合（ステップＳ７；Ｙｅｓ）、主制御部１１１ａは、送信予定の動画データを全て送信した旨の通知である送信完了通知を送信先電話機へ送信する（ステップＳ８）。そして、主制御部１１１ａは、送信先電話機との接続を終了することで（ステップＳ９）、送信処理を完了する。
【００４８】
次に、図９を参照し、受信処理を説明する。受信処理は、電話機１００が任意の送信元電話機から動画を受信する処理である。まず、動画の送信を予定している送信元電話機は、電話機１００のＩＰ電話番号を発呼することにより、ＩＰ網１０５を使用するＩＰ電話にて、電話機１００とピア・ツゥ・ピアに接続する。換言すると、図９に示すフローチャートのように、電話機１００の主制御部１１１ａは、ＩＰ網１０５を使用するＩＰ電話にて、送信元電話機とピア・ツゥ・ピアに接続する（ステップＳ１１）。そして、主制御部１１１ａは、送信元電話機から送信要求データを受信したか否かを判定する（ステップＳ１２）。送信要求データを受信しない場合（ステップＳ１２；Ｎｏ）、ＩＰ網１０５を使用したＩＰ電話による通話と考えられため、送信要求データを受信するまで通常の通話を行う。一方、送信要求データを受信した場合（ステップＳ１２；Ｙｅｓ）、主制御部１１１ａは、送信要求データに含まれる動画データに関する情報に基づいて、当該動画データが受信可能であるか否かを判定する（ステップＳ１３）。例えば、動画データの容量が大きく、電話機１００の記憶容量を大幅に超えている場合には、通信環境が対応できないため、受信可能ではないと判定される。つまり、受信可能であるか否かの判定は、記憶容量等に基づいて主制御部１１１ａが自動的に判定すればよい。
【００４９】
動画データが受信可能ではないと判定した場合（ステップＳ１３；Ｎｏ）、主制御部１１１ａは、送信元電話機に否定応答を送信する（ステップＳ１４）。そして、主制御部１１１ａは、送信元電話機との接続を終了することで（ステップＳ１９）、受信処理を終了する。一方、動画データが受信可能であると判定した場合（ステップＳ１３；Ｙｅｓ）、主制御部１１１ａは、送信元電話機に肯定応答を送信する（ステップＳ１５）。なお、例えば、他の電話機から動画データを受信している最中であるため記憶容量が足りない等の理由により、送信要求データを受信した際には動画データを受信不可能であるが時間の経過によって受信可能となる場合、主制御部１１１ａは、受信可能となった時点で肯定応答を送信すればよい。よって、送信要求データを受信してから、例えば１時間後に肯定応答を送信してもよい。動画データの送信は、リアルタイム性を重視する通話と異なり、確実に動画データを送信することが重要だからである。肯定通知を受信した送信元電話機は、動画データを含むパケットを電話機１００に送信する。そのため、主制御部１１１ａは、送信元電話機からパケットを受信したか否かを判定する（ステップＳ１６）。さらに、パケットを受信した場合（ステップＳ１６；Ｙｅｓ）、主制御部１１１ａは、送信元電話機から送信完了通知を受信したか否かを判定する（ステップＳ１７）。送信完了通知を受信していない場合（ステップＳ１７；Ｎｏ）、主制御部１１１ａは、パケットから動画データを抽出した後、当該動画データを記憶部１１５ａに記憶する。そして、主制御部１１１ａは、送信完了通知を受信するまで、ステップＳ１６乃至Ｓ１８の処理を繰り返し行う。一方、送信完了通知を受信した場合（ステップＳ１７；Ｙｅｓ）、主制御部１１１ａは、送信元電話機との接続を終了することで（ステップＳ１９）、送信処理を完了する。電話機１００は、記憶部１１５ａに記憶した動画データをコーデック部１１９により復元し、テレビ１３０に表示させることで、送信元電話機から受信した動画を自由に閲覧することが可能となる。
【００５０】
なお、上記の実施例では、コードレス電話機１００の親機１１０ａからＩＰ網１０５に接続するためにＩＰ電話対応のＡＤＳＬモデムを使用しているが、本発明はこれに限定されるものではなく、テレフォンアダプタその他の各種のＩＰ電話対応機器を用いてＩＰ網１０５と接続することができる。
【００５１】
このような送信処理及び受信処理により、電話機１００において動画送信を実現することができる。なお、本実施例では、電話機１００により動画を送受信することとしているが、本発明はこれに限定されるものではなく、音声を伴う動画や高精彩な静止画など任意の大容量データを送受信する場合にも適用することができる。
【００５２】
以上説明したように、本実施例では、ＩＰ電話を利用することで、電話機１００と、送信先電話機又は送信元電話機とがＩＰ網１０５によりピア・ツゥ・ピアで接続することができる。よって、長時間の動画等を高品質且つ安価なランニングコストで送信することを実現できる。また、郵送と比較して短時間で送信することができるため、特定のユーザがデジタルビデオ等で撮影した動画を、他のユーザがその日のうちに閲覧することができる。さらに、ＩＰ電話を利用可能な電話機に本発明を適用すれば、特に追加の部品コストなどが不要であり、低コストで大容量データの送受信が可能な電話を実現することができる。
【００５３】
[第１変形例]
上記の実施例においては、図５に示すように、外部Ｉ／Ｏ部１２１はテレビ１３０及びビデオカメラ１３１といった外部機器に接続することとしているが、本発明はこれに限定されるものではなく、ＨＤＤレコーダやＤＶＤレコーダに接続することとしてもよい。このような大容量の記憶領域を有するレコーダと接続することで、電話機１００は、記憶部１１５ａの容量を気にすることなく、送信元電話機から受信した動画をレコーダに直接記憶することができる。よって、当該動画を、ＤＶＤをはじめとする記録媒体に容易に保存することができる。また、電話機１００は、ＤＶＤをはじめとする記録媒体やレコーダに保存してある動画を、ＩＰ網１０５を通じて容易に送信先電話機へ送信することができる。
【００５４】
[第２変形例]
上記の実施例では、図９に示す受信処理のステップＳ１３において、受信可能であるか否かは記憶容量等に基づいて主制御部１１１ａが自動的に判定することとしているが、本発明はこれに限定されるものではなく、種々の判定方法を適用することができる。
【００５５】
具体的に、送信要求データ中のヘッダ情報に含まれる動画データの「タイトル」を参照することにより、ユーザが受信するか否かを判断し、当該ユーザの操作に基づいて判定する方法が考えられる。これによれば、当該動画データが全く興味のない広告に関するものであり、通信環境上受信することに問題ないがユーザが受信を拒否したい場合には受信可能でないと判定され、送信元に否定応答が送信されることになる。
【００５６】
また、予め特定の発信元ＩＰアドレスの場合には自動的に受信可能であると判定する方法が考えられる。この場合、ユーザは予め特定のＩＰアドレス又はＩＰ電話番号を登録しておく。そして、主制御部１１１ａが、送信要求データのＩＰヘッダに含まれる発信元アドレスが登録されたＩＰアドレス又はＩＰ電話番号に対応するＩＰアドレスと合致する場合に、自動的に受信可能であると判定し、送信元に肯定応答を通知する。これによれば、知人や友人から送信された動画データは受信するが、見知らぬ人から送信された動画データは受信拒否するように容易に設定することができる。
【００５７】
なお、本発明は、記憶容量等に基づいて自動的に判定する方法、ユーザの操作に基づいて判定する方法及び予めＩＰアドレスを登録することにより自動的に判定する方法のいずれをも適用することが可能であり、それぞれの方法を任意に組み合わせて併用することも可能である。
【図面の簡単な説明】
【００５８】
【図１】本発明の実施例に係るコードレス電話機の全体構成を模式的に示す。
【図２】親機の概略構成を示すブロック図である。
【図３】子機の概略構成を示すブロック図である。
【図４】ＩＰ網及び電話回線網を利用した通話経路の例を示す図である。
【図５】本発明の実施例によるコードレス電話の構成を示す機能ブロック図である。
【図６】パケットのデータ構成を模式的に示す図である。
【図７】送信要求データを含むパケットのデータ構成を模式的に示す図である。
【図８】動画送信機能による送信処理のフローチャートである。
【図９】動画送信機能による受信処理のフローチャートである。
【符号の説明】
【００５９】
６、２１  アンテナ  １００  コードレス電話機
１０３  電話回線網
１０５  ＩＰ網
１１０ａ  親機
１１０ｂ  子機
１１１ａ、１１１ｂ  主制御部
１１２ａ、１１２ｂ  表示部
１１３ａ、１１３ｂ  操作部
１１４ａ、１１４ｂ  無線部
１１５ａ  記憶部
１１６  加入電話制御部
１１７  ＩＰ電話制御部
１１８  ネットワーク接続部
１１９  コーデック部
１２０  パケット変換部
１２１  外部Ｉ／Ｏ部
１３０  テレビ
１３１  ビデオカメラ
【図１】
2005333515.tif 000003
【図２】
2005333515.tif 000004
【図３】
2005333515.tif 000005
【図４】
2005333515.tif 000006
【図５】
2005333515.tif 000007
【図６】
2005333515.tif 000008
【図７】
2005333515.tif 000009
【図８】
2005333515.tif 000010
【図９】
2005333515.tif 000011